(57)【要約】【課題】ケーシング内へ適切に圧縮ガスを導入可能な液体処理装置を提供する。【解決手段】本発明によれば、ケーシング１内部にフィルタ２を備えた液体処理装置１００であって、圧縮ガス供給手段６と、圧力センサ９と、制御手段１０とを備え、圧縮ガス供給手段６は、フィルタ２の一次側に配置されてケーシング１内部に圧縮ガスを供給し、圧力センサ９は、フィルタ２の一次圧及び二次圧を検出し、制御手段１０は、一次圧Ｐ１と二次圧Ｐ２の差圧△Ｐに基づいて、圧縮ガス供給手段６の圧縮ガス供給量を制御する、液体処理装置１００が提供される。【選択図】図１
2020089842.tif 000002
【特許請求の範囲】
【請求項１】
ケーシング内部にフィルタを備えた液体処理装置であって、
圧縮ガス供給手段と、圧力センサと、制御手段とを備え、
前記圧縮ガス供給手段は、前記フィルタの一次側に配置されて前記ケーシング内部に圧縮ガスを供給し、
前記圧力センサは、前記フィルタの一次圧及び二次圧を検出し、
前記制御手段は、前記一次圧と前記二次圧の差圧に基づいて、前記圧縮ガス供給手段の圧縮ガス供給量を制御する、液体処理装置。
【請求項２】
請求項１に記載の液体処理装置であって、
洗浄手段と、回転手段を備え、
前記フィルタは円筒状に形成され、
前記洗浄手段は、前記フィルタと対向するよう配置されるとともに前記フィルタを洗浄するよう構成され、
前記回転手段は、前記フィルタ及び前記洗浄手段の一方を他方に対し相対回転させるように構成される、液体処理装置。
【発明の詳細な説明】
【技術分野】
【０００１】
本発明は、フィルタを有する液体処理装置に関する。
【背景技術】
【０００２】
タンカー等の船舶は、積み荷の原油等を降ろした後、再度目的地に向けて航行する際、航行中の船舶のバランスを取るため、通常、バラスト水と呼ばれる水をバラストタンク内に貯留する。このような船舶には、バラスト水の注排水による生態系の破壊を防ぐため、バラスト水を浄化処理する水処理装置（バラスト水処理装置）が設けられている。
【０００３】
水処理装置の一種として、例えば特許文献１には、円筒状のフィルタをケーシング内に配置することで水を濾過処理する、濾過装置を有するものが開示されている。
【先行技術文献】
【特許文献】
【０００４】
【特許文献１】特開２０１４−２２７０６３号公報
【発明の概要】
【発明が解決しようとする課題】
【０００５】
ところで、このような濾過装置では、保管等のためケーシング内の液体を排出してケーシング内を空にすることがあり、その際、ケーシング内の液体を素早く排出するため、ケーシング内に空気等の圧縮ガスをパージすることが行われる。しかしながら、フィルタの二次側に圧縮ガスを導入すると、ケーシング内のシール部等に通常とは反対方向、すなわち、二次側から一次側への圧力が加わることで、シール部に悪影響を及ぼすおそれがあった。
【０００６】
本発明は、このような事情に鑑みてなされたものであり、シール部等に悪影響を及ぼすことなく、ケーシング内へ適切に圧縮ガスを導入可能な液体処理装置を提供することを目的とする。
【課題を解決するための手段】
【０００７】
本発明によれば、ケーシング内部にフィルタを備えた液体処理装置であって、圧縮ガス供給手段と、圧力センサと、制御手段とを備え、前記圧縮ガス供給手段は、前記フィルタの一次側に配置されて前記ケーシング内部に圧縮ガスを供給し、前記圧力センサは、前記フィルタの一次圧及び二次圧を検出し、前記制御手段は、前記一次圧と前記二次圧の差圧に基づいて、前記圧縮ガス供給手段の圧縮ガス供給量を制御する、液体処理装置が提供される。
【０００８】
本発明によれば、圧縮ガス供給手段がフィルタの一次側に配置されて前記ケーシング内部に圧縮ガスを供給することから、ケーシング内のシール部等に通常と逆方向の圧力が加わることを防止することができる。
【０００９】
以下、本発明の種々の実施形態を例示する。以下に示す実施形態は互いに組み合わせ可能である。
【００１０】
好ましくは、洗浄手段と、回転手段を備え、前記フィルタは円筒状に形成され、前記洗浄手段は、前記フィルタと対向するよう配置されるとともに前記フィルタを洗浄するよう構成され、前記回転手段は、前記フィルタ及び前記洗浄手段の一方を他方に対し相対回転させるように構成される。
【図面の簡単な説明】
【００１１】
【図１】本発明の実施形態に係るバラスト水処理装置１００の構成を示す図である。
【発明を実施するための形態】
【００１２】
以下、本発明の実施形態について説明する。以下に示す実施形態中で示した各種特徴事項は、互いに組み合わせ可能である。また、各特徴について独立して発明が成立する。
【００１３】
本発明の実施形態に係る液体処理装置としてのバラスト水処理装置１００は、船舶に設置されるバラスト装置において、バラスト水の浄化のために導入される。なお、本明細書における「バラスト水」については、バラストタンク（図示せず）に導入される前又はバラストタンクから排出された後に拘わらず、また、バラスト水処理装置１００に導入（流入）される前又はバラスト水処理装置１００から排出（流出）された後に拘わらず、船内に取り込まれた水を全て「バラスト水」と表現する。また、船内に取り込むバラスト水には、海水、淡水、汽水等が含まれるものとする。
【００１４】
１．構成
本実施形態のバラスト水処理装置１００は、図１に示すように、円筒状のケーシング１と、円筒状のフィルタ２と、回転手段としてのフィルタ回転手段３とを備える。円筒状のフィルタ２は、ケーシング１内に配置され内部（一次側）に流入した海水等の濾過処理前のバラスト水を濾過して外部（二次側）へ流出させる。フィルタ回転手段３は、フィルタ２をその軸心を中心に回転させる。
【００１５】
また、バラスト水処理装置１００は、濾過処理中のフィルタ２の洗浄（逆洗浄）のため、フィルタ２の一次側のバラスト水を排出する第１排出手段４と、フィルタ２の二次側に設けられ、フィルタ２に向かって洗浄水を噴出する第１洗浄手段５とを備える。
【００１６】
さらに、バラスト水処理装置１００は、ケーシング１内のバラスト水排出後のフィルタ２の洗浄（以下、空間洗浄と呼ぶ）のため、ケーシング１内にガスをパージする圧縮ガス供給手段６と、フィルタ２に向かって洗浄流体を噴出する第２洗浄手段７と、ケーシング１内のバラスト水を排出する第２排出手段８と、フィルタ２の一次側の圧力（一次圧）及び二次側の圧力（二次圧）を検出する圧力センサ９と、制御手段１０とを備える。
【００１７】
なお、本実施形態では、上述した第１排出手段４、第１洗浄手段５及び第２洗浄手段７は全て、特許請求の範囲における洗浄手段に該当する。また、本実施形態のバラスト水処理装置１００には、ケーシング１にバラスト水を導入する導入ラインＬ１と、濾過処理後のバラスト水をバラストタンク（図示せず）へと流通させる流出ラインＬ２とが接続される。以下、各構成を具体的に説明する。
【００１８】
ケーシング１は、円筒状に形成され、上部開口部が蓋部１１で、下部開口部が底部１２で密閉されている。ケーシング１内に配置された円筒状のフィルタ２は、その上部開口部が上閉止部１３で密閉され、下部開口部が下閉止部１４で閉止される。これらの構成により、フィルタ２内部（一次側）が、ケーシング１とフィルタ２の間（二次側）と隔てられている。フィルタ２は、例えば、多数の貫通孔が形成された金属板を円筒状に曲げ加工すると共に、円筒状の軸方向に延びる一対の側縁部を溶接することにより形成される。
【００１９】
ケーシング１の下部には、濾過処理前のバラスト水をフィルタ２の内部に導入する導入口１５が設けられる。導入口１５には、導入ラインＬ１が接続される。導入ラインＬ１には、開閉弁Ｖ１を挟んで開閉弁バラスト水を圧送するバラスト装置のポンプＸが接続される。また、ケーシング１の側部には、フィルタ２を通過した濾過処理後のバラスト水が流出する流出口１６が設けられる。導入ラインＬ１を流れ導入口１５から導入されたバラスト水は下部回転軸部材３２を通ってフィルタ２内に入り、フィルタ２を通過し濾過処理されてケーシング１とフィルタ２の間に形成される空間に入り、流出口１６から流出する。流出口１６から流出した濾過処理後のバラスト水は、流出ラインＬ２を流通してバラストタンク（図示せず）に貯留される。なお、流出ラインＬ２にも、開閉弁Ｖ２が設けられる。
【００２０】
フィルタ回転手段３は、上部回転軸部材３１と、下部回転軸部材３２と、モータ３３とを備える。上部回転軸部材３１は、フィルタ２の上閉止部１３を保持し、下部回転軸部材３２は、下閉止部１４を保持する。モータ３３は、上部回転軸部材３１を回転させる。また、上部回転軸部材３１は、ケーシング１の蓋部１１を貫通し、シーリングされた軸受部材１８を介して蓋部１１に回転自在に且つ液密に支持される。下部回転軸部材３２は、ケーシング１の底部１２を貫通し、シーリングされた軸受部材１９を介して底部１２に回転自在に且つ液密に支持される。下部回転軸部材３２は、フィルタ２内と連通するとともにケーシング１の底部１２からケーシング１の外に突出する管状体となっている。
【００２１】
第１排出手段４は、複数のノズル４１と、複数のノズルパイプ４２と、集合管４３と、排出管４４とを備える。第１排出手段４は、フィルタ２に付着した異物をバラスト水とともに濃縮水（逆洗水）としてケーシング１の外部へと排出するために用いられる。
【００２２】
ノズル４１は、その先端部がフィルタ２の内周面（一次側面）に向かってスリット状に開口し、フィルタ２に対向するよう配置される。ノズル４１の基端部は、円筒形状となっており、ノズルパイプ４２に接続される。本実施形態において、ノズル４１はコイルスプリング等の付勢手段（図示せず）によってフィルタ２に向かって押圧されており、ノズル４１先端部の端面のフィルタ２からの離間が抑制されている。
【００２３】
ノズルパイプ４２は、先端側がノズル４１に接続され、基端側が集合管４３に接続される円筒状の部材である。本実施形態において、ノズル４１及びノズルパイプ４２は、周方向に９０度間隔で４列、それぞれ上下方向に３本づつ、合計１２本設けられる（図２では、右方向に延びるもの以外を省略している）。そして、上下に配置されているノズル４１の間の未吸引部を無くすため、１方の列のノズル４１の間に他の列のノズル４１が位置するよう、列ごとに高さ方向の位置をずらして配置されている。
【００２４】
集合管４３は、フィルタ２の内部に配置される。より具体的には、集合管４３は、フィルタ２の中心軸に一致する位置に配置され、上端部が閉鎖し下端部が開口している。集合管４３の上端部は、フィルタ２の上部回転軸部材３１の中央に設けられた孔に挿入されて支持されている。集合管４３には、ノズル４１及びノズルパイプ４２を流通したバラスト水及び異物が集合して流通する。
【００２５】
排出管４４は、集合管４３の下端部に接続され、下部回転軸部材３２の内部を、フィルタ２の回転を妨げないように下方に延びる。排出管４４の下端側は、屈曲して延びており、導入口１５の周面を貫通している。排出管４４は、集合管４３を流通したバラスト水及び異物をケーシング１（バラスト水処理装置１００）の外部へと排出する。また、本実施形態の排出管４４には、開度調整が可能な調整弁（逆洗弁、図示せず）が設けられている。
【００２６】
第１洗浄手段５は、複数の第１洗浄ノズル５１と、第１洗浄ライン５２と、第１洗浄ポンプ５３とを備える。複数の第１洗浄ノズル５１は、ケーシング１の側部に設けられており、先端部がケーシング内、特にフィルタ２の外周面に向かって開口している。本実施形態では、各第１洗浄ノズル５１を、複数配置された各ノズル４１と同周上に配置している。なお、各第１洗浄ノズル５１は、フィルタ２の軸方向全域に洗浄水を噴出できることが好ましいが、その構成は特に限定されるものではない。
【００２７】
第１洗浄ライン５２は、各第１洗浄ノズル５１と接続され、第１洗浄ポンプ５３によって圧送される洗浄水を各第１洗浄ノズル５１に供給する。第１洗浄ライン５２にはまた、開閉弁５４が設けられている。第１洗浄ライン５２の上流側は、洗浄水供給源（図示せず）に接続される。洗浄水供給源としては、フィルタ２で処理されたバラスト水を用いることが可能である。ただし、バラストタンク内に貯留された水、他の用途で使用する目的で貯留されている生活用水や飲料水などを用いても良い。
【００２８】
圧縮ガス供給手段６は、圧縮ガス供給口６１と、圧縮ガス供給ライン６２と、圧縮ガス供給弁６３とを備える。圧縮ガス供給口６１は、ケーシング１の導入口１５の側部に設けられ、導入口１５の周面を貫通している。圧縮ガス供給口６１には、圧縮ガス供給ライン６２が接続される。圧縮ガス供給ライン６２には、圧縮ガス供給弁６３が設けられる。本実施形態において、圧縮ガス供給弁６３は制御手段１０によって自動開閉可能な開閉弁とされる。圧縮ガス供給ライン６２の上流側には、コンプレッサ等の圧縮ガス供給源（図示せず）が接続される。なお、本実施形態の圧縮ガス供給手段６は、フィルタ２の一次側に配置されていることから、ケーシング１内であって、フィルタ２の一次側に圧縮ガスを供給可能となっている。
【００２９】
第２洗浄手段７は、第２洗浄ノズル７１と、第２洗浄ライン７２と、第２洗浄弁７３と、第２洗浄ポンプ７４とを備える。第２洗浄ノズル７１は、ケーシング１の側部に設けられており、先端部がケーシング内、特にフィルタ２の外周面に向かって開口している。第２洗浄ノズル７１は、フィルタ２全体の異物を除去するため、軸方向全域に噴出可能であることが好ましいが、その構成は特に限定されるものではない。例えば、第２洗浄ノズル７１を、フィルタ２の軸方向に直線状および／または周方向に角度を変えて複数配置することができる。周方向に角度を変えて複数配置される第２洗浄ノズル７１は、同じ高さに配置しても、或いは高さを変えて配置してもよい。
【００３０】
第２洗浄ライン７２は、第２洗浄ノズル７１と接続され、第２洗浄ポンプ７４によって圧送される洗浄流体を第２洗浄ノズル７１に供給する。第２洗浄ライン７２には、第２洗浄弁７３が設けられている。第２洗浄ライン７２の上流側は、洗浄流体供給源（図示せず）に接続される。本実施形態では、流体として清浄水が使用される。清浄水としては、フィルタ２で処理されたバラスト水、バラストタンク内に貯留された水、他の用途で使用する目的で貯留されている生活用水や飲料水などが使用される。また、第１洗浄手段５と供給源を共用することも可能である。ただし、洗浄流体として、高圧エアを用いることも可能である。また、洗浄流体は水蒸気であってもよい。なお、洗浄流体として高圧エアを用いる場合には、洗浄ポンプ７４をバイパスするバイパスライン７５を設けることになる。この場合、バイパスライン７５には開閉弁７６が設置される。
【００３１】
第２排出手段８は、排出口８１と、排出ライン８２と、排出弁８３とを備える。排出口８１は、ケーシング１の底部１２に設けられ、底部１２を貫通している。排出口８１には、排出ライン８２が接続される。第２排出手段８は、ケーシング１の内部に収容されたバラスト水をフィルタ２の一次側からケーシング１（バラスト水処理装置１００）の外部へと排出する際に用いられる。
【００３２】
圧力センサ９は、一次側センサ９１と、二次側センサ９２とを備える。一次側センサ９１は、フィルタ２の一次側、すなわちフィルタ２の内部に配置され、フィルタ２の一次圧Ｐ１を検出する。二次側センサ９２は、フィルタ２の二次側、すなわちケーシング１とフィルタ２との間の空間に配置され、フィルタ２の二次圧Ｐ２を検出する。
【００３３】
制御手段１０は、一次側センサ９１により検出されたフィルタ２の一次圧Ｐ１と、二次側センサ９２により検出されたフィルタ２の二次圧Ｐ２に基づいて、圧縮ガス供給手段６の圧縮ガス供給量を制御する。具体的には、制御手段１０は、フィルタ２の一次圧Ｐ１と二次圧Ｐ２の差圧△Ｐ（＝Ｐ１−Ｐ２）を取得し、差圧△Ｐに基づいて、圧縮ガス供給弁６３の開閉制御を行う。より具体的には、制御手段１０は、差圧△Ｐがフィルタ２の許容差圧△Ｐ１以下であって且つ設定差圧△Ｐ２以上（△Ｐ２＜△Ｐ＜△Ｐ１）となるよう圧縮ガス供給弁６３の開閉制御を行う。なお、フィルタ２の一次圧Ｐ１と二次圧Ｐ２の差圧△Ｐはフィルタ２の汚れ具合を判断できる。すなわち、差圧が大きい場合はフィルタ２への異物の堆積量が多くなっていることを示し、差圧が小さい場合はフィルタ２が初期状態に近い状態であることを示している。
【００３４】
２．動作
次に、本実施形態のバラスト水処理装置１００の動作を説明する。
【００３５】
ポンプＸの駆動によりバラスト水が導入ラインＬ１を通って導入口１５から流入すると、バラスト水はフィルタ２内に入り、フィルタ２を通過し濾過処理される。この際、フィルタ回転手段３はフィルタ２を回転させる。これにより、フィルタ２は第１排出手段４に対し相対回転する。そして、バラスト水は、ケーシング１とフィルタ２の間に形成される空間に入り、流出口１６から流出する。流出したバラスト水は、流出ラインＬ２を通ってバラストタンク（図示せず）に貯留される。
【００３６】
＜濾過処理中の洗浄動作＞
バラスト水の濾過処理中の洗浄動作は、濾過処理中に連続あるいは間欠的に行われる。具体的には、第１排出手段４内の圧力はフィルタ２の二次圧よりも低いため、排出管４４に設置される調整弁を開いておくことで、フィルタ２に付着した異物がフィルタ２の二次側にある濾過後のバラスト水（濃縮水）と一緒にノズル４１の開口から吸引され、ノズルパイプ４２、集合管４３及び排出管４４を通って外部へ排出されるようになっている。
【００３７】
また、濾過処理中の洗浄の際には、第１洗浄手段５がフィルタ２に洗浄水を噴出させる。これにより、フィルタ２に付着した異物がフィルタ２から剥離し、ノズル４１から効果的に除去される。
【００３８】
＜空間洗浄動作＞
空間洗浄は、ケーシング１内のバラスト水が排水された状態で、第２洗浄手段７により洗浄流体を噴出することで行われる。具体的には、まず、バラスト装置のポンプＸを停止させるとともに導入ラインＬ１の開閉弁Ｖ１を閉じ、ケーシング１内に新たなバラスト水が流入しないようにする。次に、第２排出手段８の排出弁８３を開き、排出ライン８２を介してケーシング１内のバラスト水を排水する。そして、第２排出手段８による排水動作と同時に、圧縮ガス供給手段６の圧縮ガス供給弁６３を開くことで、ケーシング１内に圧縮ガスを供給（パージ）し、ケーシング１内を加圧する。この際、圧縮ガスが流出しないよう、流出ラインＬ２の開閉弁Ｖ２及び第１排出手段４の排出管４４に設けられた調整弁（図示せず）閉じておく。ケーシング１内を加圧することで、ケーシング１内に収容されたバラスト水を速やかに排出することができる。
【００３９】
そして、ケーシング１内のバラスト水が排水された後、第２洗浄手段７の第２洗浄弁７３を開き、フィルタ回転手段３によりフィルタ２を回転させながら、洗浄流体を第２洗浄ノズル７１からフィルタ２に向かって噴出させる。これにより、フィルタ２を圧縮ガスがパージされた状態で洗浄することができる。
【００４０】
なお、空間洗浄は、フィルタ２への異物の堆積量が増加し、濾過処理中の洗浄動作では異物が除去しきれなくなった際に所定時間行う。空間洗浄のタイミングを決めるため、フィルタ２の一次側の水圧とフィルタ２の二次側の水圧から差圧を検出する差圧検出手段（図示せず）を設けることが好ましい。差圧（フィルタ２の一次側の圧力から二次側の圧力を引いた値）が大きい場合はフィルタ２への異物の堆積量が多くなっていることを示すので、差圧が大きくなったタイミングで空間洗浄を行うのが好適である。
【００４１】
また、空間洗浄は、バラスト水処理装置１００によるバラスト水の濾過処理が終了した後にも行うことができる。この場合、空間洗浄の後は、ケーシング１内に清浄水を導入し、ケーシング１内を満水にして保管することで、フィルタ２の腐食を抑制することができる。ただし、空間洗浄の後、圧縮ガス供給手段６による圧縮ガスのパージ及び第２排出手段８による排水によりケーシング１内のバラスト水を完全に除去し、圧縮ガスがパージされた状態で保管することも、腐食の抑制に好適である。また、保管の際、空間洗浄は行わず、単に圧縮ガス供給手段６によってケーシング１内に圧縮ガスをパージするだけでもよい。
【００４２】
ところで、ケーシング１内を加圧する際、従来はケーシング１の蓋部１１等、フィルタ２の二次側に圧縮ガス供給手段６を設け、フィルタ２の二次側から圧縮ガスを導入していた。しかしながら、フィルタ２の二次側から圧縮ガスを導入すると、例えば下部回転軸部材３２を支持する軸受部材１９のシール部等（回転摺動部）に、二次側から一次側への圧力が加わることになる。この圧力は、通常加わる一次側から二次側への圧力とは反対方向の圧力である。そのため、フィルタ２に異物が蓄積すること等によりフィルタ２の二次側に大きな圧力が加わると、シール部等に細かな異物が詰まるなどの悪影響を及ぼすおそれがあった。
【００４３】
そこで、本実施形態のバラスト水処理装置１００では、圧縮ガス供給手段６の圧縮ガス供給口６１をケーシング１の導入口１５に設け、フィルタ２の一次側から圧縮ガスを導入するよう構成することにしている。このような構成により、本実施形態のバラスト水処理装置１００は、フィルタ２に異物が蓄積していた場合であっても上述したシール部等に大きな圧力が加わることを抑制できるようになっている。
【００４４】
また、本実施形態のバラスト水処理装置１００は圧力センサ９と制御手段１０とを備え、制御手段１０が、フィルタ２の一次圧Ｐ１と二次圧Ｐ２の差圧△Ｐが許容差圧△Ｐ１以下となるよう圧縮ガス供給手段６による圧縮ガス供給量を制御する。これにより、例えばフィルタ２に異物が蓄積して差圧△Ｐが大きくなった場合には圧縮ガス供給量を削減することで、シール部等に二次側から大きな圧力が加わることを抑制することが可能となっている。
【００４５】
３．効果
以上のように、本実施形態のバラスト水処理装置１００は、圧縮ガス供給手段６（圧縮ガス供給口６１）をフィルタ２の一次側に配置している。このような構成により、ケーシング１内に圧縮ガスをパージする際に、回転摺動部（シール部）に二次側から大きな圧力が加わることを抑制できる。
【００４６】
また、本実施形態のバラスト水処理装置１００は、圧力センサ９と制御手段１０とを備え、制御手段１０が、フィルタ２の一次圧Ｐ１と二次圧Ｐ２の差圧△Ｐが許容差圧△Ｐ１以下となるよう圧縮ガス供給手段６による圧縮ガス供給量を制御する。このような構成により、例えばフィルタ２に異物が蓄積して差圧△Ｐが大きくなった場合には圧縮ガス供給量を削減することで、シール部等に二次側から大きな圧力が加わることを抑制することが可能となっている。加えて、当該差圧△Ｐは設定差圧△Ｐ２以上になるよう制御されることから、フィルタ２内部のバラスト水を効果的に排出することが可能となっている。
【００４７】
加えて、本実施形態において、圧縮ガス供給手段６は導入口１５に設けられている。これにより、圧縮ガスをフィルタ２の内部に供給しつつ、フィルタ回転手段３によりフィルタ２を回転させることが可能となっている。
【００４８】
４．変形例
なお、本発明は、以下の形態でも実施することができる。
・上述した実施形態では、圧縮ガス供給手段６の圧縮ガス供給弁６３は開閉弁であったが、これに限らない。すなわち、圧縮ガス供給弁６３を開度調整の可能な開度調整弁とすることも可能である。この構成の場合、制御手段１０は、フィルタ２の一次圧Ｐ１と二次圧Ｐ２の差圧△Ｐに応じて、圧縮ガス供給弁６３の開度を適宜調整することが好ましい。
・上記実施形態におけるバラスト水処理装置１００は、フィルタ２（一方）を第１排出手段４（他方）に対して相対回転させる構成であったが、これに限らない。すなわち、本発明を、固定されたフィルタ２に対して第１排出手段４（ノズル４１）が回転する構成のバラスト水処理装置に適用しても良い。また、本発明を、ノズル４１及びフィルタ２がともに回転しない構成のバラスト水処理装置に適用することも可能である。
・上記実施形態では、第１排出手段４がフィルタ２の洗浄の可能なノズル４１及びノズルパイプ４２を備えていたが、ノズル４１及びノズルパイプ４２は必須ではない。つまり、本発明を、濾過処理中の洗浄を行わないバラスト水処理装置に適用することも可能である。また、ケーシング１内のバラスト水を排出する手段は、第１排出手段４と第２排出手段８のうち１つのみであっても良い。
・上記実施形態では、第１排出手段４をフィルタ２の内側に配置していたが、第１排出手段４をフィルタ２の外側に配置することも可能である。つまり、第１排出手段４はフィルタ２の一次側に配置しても良く、フィルタ２の二次側に配置しても良い。
・上記実施形態では、バラスト水処理装置１００がフィルタ２の洗浄のため第１洗浄手段５及び第２洗浄手段７を備えていたが、洗浄手段は共通化することも可能である。すなわち、本空間洗浄として、圧縮ガス供給手段６によりケーシング１内に圧縮ガスをパージした後、第１洗浄手段５を用いてフィルタ２を洗浄することも可能である。また、第１洗浄手段５と第２洗浄手段７をともに有さないバラスト水処理装置に用いることも可能である。この場合、濾過処理終了後にケーシング１内に圧縮ガスをパージして保管する際に、上述した効果を得ることが可能である。
・上記実施形態では、円筒状のフィルタ２の内側が一次側、外側が二次側であった。しかしながら、外側が二次側、内側が一次側となるよう、フィルタ２にバラスト水を流通させても良い。この場合は、フィルタ２の外側に圧縮ガス供給手段が配置されることになる。；
・上記実施形態では、本発明を、船舶で用いられバラスト水を処理するバラスト水処理装置に適用したが、これに限らない。即ち、本発明を、海、河川、湖沼、池等の水、及び工業水等を処理する水処理装置に適用してもよい。さらに、水を処理する水処理装置ではなく、水以外の液体（例えば、油）を処理する液体処理装置に適用することも可能である。
【符号の説明】
【００４９】
１      ：ケーシング
２      ：フィルタ
３      ：フィルタ回転手段（回転手段）
４      ：第１排出手段
５      ：第１洗浄手段
６      ：圧縮ガス供給手段
７      ：第２洗浄手段
８      ：第２排出手段
９      ：圧力センサ
１０    ：制御手段
１１    ：蓋部
１２    ：底部
１３    ：上閉止部
１４    ：下閉止部
１５    ：導入口
１６    ：流出口
１８    ：軸受部材
１９    ：軸受部材
３１    ：上部回転軸部材
３２    ：下部回転軸部材
３３    ：モータ
４１    ：ノズル
４２    ：ノズルパイプ
４３    ：集合管
４４    ：排出管
５１    ：第１洗浄ノズル
５２    ：第１洗浄ライン
５３    ：第１洗浄ポンプ
５４    ：開閉弁
６１    ：圧縮ガス供給口
６２    ：圧縮ガス供給ライン
６３    ：圧縮ガス供給弁
７１    ：第２洗浄ノズル
７２    ：第２洗浄ライン
７３    ：第２洗浄弁
７４    ：第２洗浄ポンプ
８１    ：排出口
８２    ：排出ライン
８３    ：排出弁
９１    ：一次側センサ
９２    ：二次側センサ
１００  ：バラスト水処理装置（液体処理装置）
Ｌ１    ：導入ライン
Ｌ２    ：流出ライン
Ｐ１    ：一次圧
Ｐ２    ：二次圧
△Ｐ    ：差圧
△Ｐ１  ：許容差圧
△Ｐ２  ：設定差圧
Ｖ１    ：開閉弁
Ｖ２    ：開閉弁
Ｘ      ：ポンプ
【図１】
2020089842.tif 000003